(57)【要約】【課題】挟持部を内奥部に対して揃える操作を省略し、作業性を改善する。【解決手段】連結具により互いに連結される第１連結部材（ステー）６及び第２連結部材（ベースと連結補助部材）４、５を有するエアコン室外機の設置台において、連結具は、２つの挟持部６５ａ等とこれら挟持部の間隔を調整可能にして各挟持部が繋がれる軸部６５ｃとを有し、第１連結部材６は、連結具の軸部６５ｃを挿通可能な開口部６４と、この開口部の奥側で挟持部の一方（ボルト頭部）６５ａがスライド可能に端から挿入される内奥部６６とを有するスライド溝を備え、挟持部の一方６５ａは、軸心６５ｄを挟んで対向する１対の側面６５ａ−２を軸心６５ｄ回りに複数対有し、内奥部６６は、挟持部の一方の挿入に際し頂部６５ａ−１と衝突する第１側壁６６ａと、この衝突により挟持部の一方が軸回りに回転することを許容する第２側壁６６ｂとを有する。【選択図】      図９
2010196989.tif 000002
【特許請求の範囲】
【請求項１】
連結具（１５、１６、２５、２６、６５、６７）により互いに連結される第１連結部材（１、２、６）及び第２連結部材（４、５、６）を有するエアコン室外機の設置台において、前記連結具（１５、１６、２５、２６、６５、６７）は、２つの挟持部（１５ａ、１６、２５ａ、２６、６５ａ、６７）とこれら挟持部（１５ａ、１６、２５ａ、２６、６５ａ、６７）の間隔を調整可能にして各挟持部（１５ａ、１６、２５ａ、２６、６５ａ、６７）が繋がれる軸部（６５ｃ）とを有し、前記第１連結部材（１、２、６）は、前記連結具（１５、１６、２５、２６、６５、６７）の軸部（６５ｃ）を挿通可能な開口部（１４ａ、２４ａ、６４）と、この開口部（１４ａ、２４ａ、６４）の奥側で前記挟持部（１５ａ、１６、２５ａ、２６、６５ａ、６７）の一方がスライド可能に挿入される内奥部（１４、２４、６６）とを有するスライド溝を備え、前記挟持部（１５ａ、１６、２５ａ、２６、６５ａ、６７）の一方は、その挟持部（１５ａ、１６、２５ａ、２６、６５ａ、６７）の軸心（６５ｄ）を挟んで対向する１対の側面（６５ａ−２）を軸心（６５ｄ）回りに複数対有し、前記内奥部（１４、２４、６６）は、前記開口部（１４ａ、２４ａ、６４）に対して幅方向に偏らせて形成され、前記挟持部（１５ａ、１６、２５ａ、２６、６５ａ、６７）の一方の挿入に際し前記側面（６５ａ−２、６７ａ）の隣合うもの同士の間の頂部（６５ａ−１、６７ｂ）またはその近傍部分と衝突する位置に設けられた第１側壁（６６ａ）と、この衝突により前記挟持部（１５ａ、１６、２５ａ、２６、６５ａ、６７）の一方が軸心回りに回転することを許容する位置に設けられた第２側壁（６６ｂ）とを有することを特徴とするエアコン室外機の設置台。
【請求項２】
請求項１に記載のエアコン室外機の設置台において、前記第１側壁（６６ａ）から開口部（１４ａ、２４ａ、６４）までの距離（Ｌ１）が、前記挟持部（１５ａ、１６、２５ａ、２６、６５ａ、６７）の一方における前記頂部（６５ａ−１、６７ｂ）とこの頂部（６５ａ−１、６７ｂ）に対して前記軸心（６５ｄ）を挟んで反対側に位置する頂部（６５ａ−１、６７ｂ）との間における頂部間寸法（Ｗ１）から前記軸部（６５ｃ）の直径（Ｄ）を引いた寸法の半分の値（Ｌ２）よりも短く、かつ前記第１側壁（６６ａ）から開口部（１４ａ、２４ａ、６４）までの距離（Ｌ１）に前記開口部（１４ａ、２４ａ、６４）の幅寸法（Ｗ２）を加えた距離（Ｌ３）が、前記半分の値（Ｌ２）に前記軸部（６５ｃ）の直径（Ｄ）を加えた長さ寸法（Ｌ４）よりも短く、しかも、前記開口部（１４ａ、２４ａ、６４）に遠い方の第２側壁（６６ｂ）から前記開口部（１４ａ、２４ａ、６４）までの距離（Ｌ５）が、前記半分の値（Ｌ２）と同一または前記半分の値（Ｌ２）よりも長いことを特徴とするエアコン室外機の設置台。
【請求項３】
請求項２に記載のエアコン室外機の設置台において、前記開口部（１４ａ、２４ａ、６４）の幅寸法（Ｗ２）が、前記軸心（６５ｄ）を挟んで対向する１対の側面（６５ａ−２、６７ａ）の間における側面間寸法（Ｗ３）に軸部（６５ｃ）の直径（Ｄ）を加えた寸法の半分の値（（Ｗ３＋Ｄ）／２）よりも短いことを特徴とするエアコン室外機の設置台。
【請求項４】
請求項２または３に記載のエアコン室外機の設置台において、前記第１側壁（６６ａ）から開口部（１４ａ、２４ａ、６４）までの距離（Ｌ１）に前記開口部（１４ａ、２４ａ、６４）の幅寸法（Ｗ２）を加えた距離（Ｌ３）が、前記頂部間寸法（Ｗ１）に軸部（６５ｃ）の直径（Ｄ）を加えた寸法の半分の値（（Ｗ１＋Ｄ）／２）よりも短く、かつ前記側面間寸法（Ｗ３）に軸部（６５ｃ）の直径（Ｄ）を加えた寸法の半分の値（（Ｗ３＋Ｄ）／２）以上であることを特徴とするエアコン室外機の設置台。
【発明の詳細な説明】
【技術分野】
【０００１】
本発明は、エアコン（エアコンディショナーの略称）室外機を屋根や外壁などに取付けるための設置台に関する。
【背景技術】
【０００２】
上述したエアコン室外機を屋根に取付ける屋根用設置台として、図１４及び図１５に示すものが知られている。
【０００３】
この屋根用設置台は、屋根の高い側に配置される後座板１０１と、屋根の低い側に配置される前座板１０２と、これら後座板１０１、前座板１０２間に架設されるエアコン室外機を載置する一対の支持部材１０３とを有する。また、前記支持部材１０３は、下端が前座板１０２に支持されるステー１０６と、後端が後座板に支持されるとともに前端がステー１０６に支持されて略水平に配置される、エアコン室外機を載置するためのベース１０４と、ステー１０６とベース１０４とを連結固定するために前記ベース１０４の前端に取り付けられる連結補助部材１０５とを有する。さらに、該連結補助部材１０５は、前記ベース１０４の前端部に取り付けられた状態において、ベース１０４の前端部の前方にステー１０６を上下方向に貫通させてスライド式に貫通位置を可変にする貫通穴部１５１が形成されるとともに、適宜の貫通位置でステー１０６に対し固定可能に構成されている。上記貫通穴部１５１は、壁が環状に配置された環状壁部１５２により形成されている。
【０００４】
この屋根用設置台によれば、ステー１０６を連結補助部材１０５の環状壁部１５２内に貫通させてスライド式に移動可能かつ固定可能としているので、固定する貫通位置を設定することによりベース１０４の前端部の高さを所定位置に調節することができる。
【先行技術文献】
【特許文献】
【０００５】
【特許文献１】特開２００８−４５８２５号公報
【発明の概要】
【発明が解決しようとする課題】
【０００６】
ところで、連結補助部材１０５は、ステー１０６の前側に設けた内奥部１６６に頭部１６５ａが挿入されたボルト１６５のねじ部１６５ｂを、内奥部１６６に繋がるスリット状の開口部１６４と、環状壁部１５２に設けたボルト孔１５５とを経て外側に突出させ、その突出したねじ部１６５ｂにナット１６７を締結する構成となっている。上記内奥部１６６とこれに繋がる開口部１６４とは、ボルト１６５をスライドさせるためのスライド溝を構成する。また、上記ナット１６７と頭部１６５ａとは、環状壁部１５２及びステー１０６を挟持する挟持部として機能する。
【０００７】
そして、ボルト１６５は、その頭部１６５ａを内奥部１６６に対し内奥部１６６の端から挿入することでステー１０６に上下方向へ移動可能に取付けられており、内奥部１６６と開口部１６４との関係は、図１５に示すように、内奥部１６６の幅方向の中心と、開口部１６４の幅方向の中心とが一致し、内奥部１６６の幅寸法が六角形状をした頭部１６５ａの狭幅部の幅寸法よりも若干大きい程度に設定されている。よって、頭部１６５ａを内奥部１６６に挿入する際、内奥部１６６の幅方向に頭部１６５ａの狭幅部が平行に揃っていない場合には、頭部１６５ａを内奥部１６６に挿入できないので、前記挟持部として機能する頭部１６５ａをその軸心回りに回転させて内奥部１６６に対して揃える操作を必要とし、作業性の改善が要望されていた。
【０００８】
本発明は、このような従来技術の課題を解決するためになされたものであり、挟持部を内奥部に対して揃える操作を省略することができ、作業性を改善することを可能にできるエアコン室外機の設置台を提供することを目的とする。
【課題を解決するための手段】
【０００９】
請求項１に係る発明は、連結具により互いに連結される第１連結部材及び第２連結部材を有するエアコン室外機の設置台において、前記連結具は、２つの挟持部とこれら挟持部の間隔を調整可能にして各挟持部が繋がれる軸部とを有し、前記第１連結部材は、前記連結具の軸部を挿通可能な開口部と、この開口部の奥側で前記挟持部の一方がスライド可能に挿入される内奥部とを有するスライド溝を備え、前記挟持部の一方は、その挟持部の軸心を挟んで対向する１対の側面を軸心回りに複数対有し、前記内奥部は、前記開口部に対して幅方向に偏らせて形成され、前記挟持部の一方の挿入に際し前記側面の隣合うもの同士の間の頂部またはその近傍部分と衝突する位置に設けられた第１側壁と、この衝突により前記挟持部の一方が軸心回りに回転することを許容する位置に設けられた第２側壁とを有することを特徴とする。
【００１０】
請求項２に係る発明は、請求項１に記載のエアコン室外機の設置台において、前記第１側壁から開口部までの距離が、前記挟持部の一方における前記頂部とこの頂部に対して前記軸心を挟んで反対側に位置する頂部との間における頂部間寸法から前記軸部の直径を引いた寸法の半分の値よりも短く、かつ前記第１側壁から開口部までの距離に前記開口部の幅寸法を加えた距離が、前記半分の値に前記軸部の直径を加えた長さ寸法よりも短く、しかも、前記開口部に遠い方の第２側壁から前記開口部までの距離が、前記半分の値と同一または前記半分の値よりも長いことを特徴とする。
【００１１】
請求項３に係る発明は、請求項２に記載のエアコン室外機の設置台において、前記開口部の幅寸法が、前記軸心を挟んで対向する１対の側面の間における側面間寸法に軸部の直径を加えた寸法の半分の値よりも短いことを特徴とする。
【００１２】
請求項４に係る発明は、請求項２または３に記載のエアコン室外機の設置台において、
前記第１側壁から開口部までの距離に前記開口部の幅寸法を加えた距離が、前記頂部間寸法に軸部の直径を加えた寸法の半分の値よりも短く、かつ前記側面間寸法に軸部の直径を加えた寸法の半分の値以上であることを特徴とする。
【発明の効果】
【００１３】
本発明にあっては、内奥部が開口部に対して幅方向に偏らせて形成されていて、挟持部の一方を内奥部に挿入するとき、挟持部の一方の頂部またはその近傍部分が第１側壁の端に対面する状態であれば、その頂部またはその近傍部分が第１側壁の端に衝突し、挟持部の一方がその衝突に基づいて回転する。この回転は頂部が第１側壁に衝突しなくなるまで続く。そして、頂部が第１側壁に衝突しなくなると、挟持部の一方が内奥部に挿入される。よって、内奥部に対して挟持部を揃える操作が不要になり、作業性を改善することができる。
【００１４】
請求項２の発明による場合には、軸部が開口部の第１側壁側の縁に接触するとき、第１側壁から開口部までの距離が、頂部間寸法から軸部の直径を引いた寸法の半分の値よりも短いので、挟持部の一方における頂部またはその近傍が第１側壁の端に衝突する。一方、軸部が開口部の第２側壁側の縁に接触するとき、第１側壁から開口部までの距離に前記開口部の幅寸法を加えた距離が、前記半分の値に前記軸部の直径を加えた長さ寸法よりも短いので、挟持部の一方における頂部またはその近傍が第１側壁の端に衝突する。このとき、開口部に遠い方の第２側壁から開口部までの距離が、前記半分の値と同一または前記半分の値よりも長いので、挟持部の一方の第１側壁の端への衝突に伴って挟持部の一方が確実に軸心回りに回転し、挟持部の一方が内奥部に入込むことになる。また、挟持部の一方における軸心回りの回転は、開口部に近い第１側壁に、回転方向下流側の次の頂部が接触することにより止まり、２つの挟持部を締結する際に両方の挟持部が共回りすることが防止される。
【００１５】
請求項３の発明による場合には、挟持部の一方が軸心回りに回転して、開口部に露出している側面が開口部の幅方向とほぼ平行になっても、挟持部の一方が開口部から抜け出ないようにすることができる。
【００１６】
請求項４の発明による場合には、挟持部の一方における側面を第１側壁に接近させ、かつほぼ平行にさせることが可能になる。好ましくは、第２側壁に近い開口部縁から第１側壁までの距離は、側面間寸法に軸部の直径を加えた寸法の半分の値に接近させる。このようにすることで、挟持部の一方と内奥部との接触面積が増大化し、両挟持部による締結強度を向上させ得る。
【図面の簡単な説明】
【００１７】
【図１】本発明の実施の形態に係るエアコン室外機の屋根用設置台におけるステー（第１連結部材）の取付部を示す斜視図である。
【図２】同エアコン室外機の屋根用設置台の据付状態の斜視図である。
【図３】同エアコン室外機の屋根用設置台据付状態の側面図である。
【図４】同エアコン室外機の屋根用設置台において、ベース（第２連結部材）の後端部を後座板に取付けている部分の断面図である。
【図５】同エアコン室外機の屋根用設置台において、ステーの下端部を前座板に取付けている部分の断面図である。
【図６】同エアコン室外機の屋根用設置台における連結補助部材（第２連結部材）とベースの分解斜視図である。
【図７】同エアコン室外機の屋根用設置台において、連結補助部材を介してステーとベースとを連結固定した状態における連結部の平断面図である。
【図８】同エアコン室外機の屋根用設置台におけるステーと連結補助部材との組立手順説明図であって、（ａ）は最初の手順であり、（ｂ）は次の手順を示す。
【図９】本発明の原理図であり、ボルトの頭部（挟持部）が内奥部に入り込むことに関する説明図である。
【図１０】ボルトの軸部が開口部の第１側壁側の縁に接触する場合における各部の関係を示す図である。
【図１１】ボルトの軸部が開口部の第２側壁側の縁に接触する場合における各部の関係を示す図である。
【図１２】ボルトの頭部が軸回りに回転して第２の幅部が開口部の幅方向とほぼ平行になっても、頭部が開口部から抜け出ないようにする寸法関係を示す図である。
【図１３】ボルト頭部の第２の幅部を開口部の幅方向と平行または平行に近い状態にすることを可能にする各部の関係を示す図である。
【図１４】従来例の図であって、エアコン室外機の屋根用設置台の据付状態の斜視図である。
【図１５】従来例の図であって、エアコン室外機の屋根用設置台において、連結補助部材を介してステーとベースとを連結固定した状態における連結部の平断面図である。
【発明を実施するための形態】
【００１８】
以下、本発明を具体化した実施の形態に係るエアコン室外機の屋は根用設置台を図面に基づいて説明する。本実施の形態に係るエアコン室外機の屋根用設置台は、エアコン室外機を、長手方向が屋根Ｒの傾斜方向と直角の方向となるように設置するものであって、図２に本実施の形態に係るエアコン室外機の据付状態の斜視図を示す。
【００１９】
この図２に示すように、本実施の形態に係るエアコン室外機の屋根用設置台は、後座板１と、前座板２と、一対の支持部材３とを有している。後座板１は、屋根Ｒの高い側に配置されて、屋根Ｒの傾斜方向に直交する方向を長手方向として配置される。前座板２は、屋根Ｒの低い側に配置されて、屋根Ｒの傾斜方向に直交する方向を長手方向として配置される。一対の支持部材３は、エアコン室外機を載置するものであって、後座板１と前座板２との間に架け渡され、後座板１に連結されるベース４と、前座板２に連結されるステー６と、ベース４に取付けられてステー６との連結に用いられる連結補助部材５とを備える。なお、本実施形態では、第１連結部材としてのステー６と、第２連結部材としてのベース４及び連結補助部材５との連結箇所を、発明を適用対象とするものとして説明を行う。
【００２０】
後座板１は、図２〜図４に示すように、水平に形成された取付壁部１１と、取付壁部１１の前端から下方鉛直方向に形成された連結壁部１２と、取付壁部１１の後端と連結壁部１２の下端とを連結する接触壁部１３とから筒状体に形成されたものであって、アルミニウム又はアルミ系合金製の押出型材からなる。なお、図３は本実施の形態に係るエアコン室外機の屋根用設置台据付状態の側面図であり、図４はベースの後端部を後座板に取り付けている部分の断面図である。
【００２１】
ここで、取付壁部１１は、支持部材３を構成するベース４の後端部を取り付ける壁面を成す。このために、取付壁部１１の内側には、ベース４を取り付ける締結具としてのボルト１５の頭部１５ａを長手方向に摺動可能に収納するとともに、ボルト１５のねじ部１５ｂをスリット１４ａから上方に突出させる溝部１４が形成されている。溝部１４の幅はボルト１５の頭部１５ａの対向する２辺間の寸法より少し大きくしたもので、溝部１４内でボルト１５が回転しない程度の幅寸法に形成されている。そして、このボルト１５にナット１６を締結することにより、支持部材３を構成するベース４の後端部を後座板１に固定するように構成されている。また、接触壁部１３は、中間部を曲面部１３ａとすることにより取付壁部１１の前端と連結壁部１２の下端とを連結可能とするとともに、この曲面部１３ａにおいて屋根Ｒと接触するように構成されている。
【００２２】
また、接触壁部１３には、図４に示すように、連結壁部１２より前方に突出した第１突出部１７と、取付壁部１１より上方に突出した第２突出部１８とが形成され、この第１突出部１７及び第２突出部１８を利用して、屋根Ｒとの接触部に屋根足１９が取り付けられている。屋根足１９は、後座板１が瓦の上に載置されることにより瓦を損傷させないようにするためのクッション機能を有する樹脂製の保護具である。この実施の形態における屋根足１９は、図２〜図４に示すように、屋根Ｒ上における滑り止め効果が良好となるように、表面が側方から見て波状に形成されている。
【００２３】
前座板２は、この後座板１と同一のものであって、取付壁部が前方となるように設置方向の向きを変えて屋根Ｒ上に載置されたものである。すなわち、前座板２は、図２、図３及び図５に示すように、取付壁部２１、連結壁部２２、接触壁部２３、溝部２４、ボルト２５、ナット２６、屋根足２９を有している。なお、図５はステーの下端部を前座板に取り付けている部分の断面図である。そして、これら構成要素は、それぞれ後座板１における取付壁部１１、連結壁部１２、接触壁部１３、溝部１４、ボルト１５、ナット１６、屋根足１９に該当する。また、接触壁部２３の曲面部２３ａ、溝部２４のスリット２４ａ、第１突出部２７及び第２突出部２８は、それぞれ接触壁部１３の曲面部１３ａ、溝部１４のスリット１４ａ、第１突出部１７及び第２突出部１８に該当する。また、ボルト２５の頭部２５ａ及びねじ部２５ｂは、ボルト１５の頭部１５ａ及びねじ部１５ｂに該当する。ただし、前座板２における溝部２４には、支持部材３を構成するステー６の下端部が取り付けられる。
【００２４】
支持部材３は、本発明の要部を適用した箇所であって、前述したように後座板１に連結されるベース４と、前座板２に連結されるステー６と、ベース４に取付けられてステー６との連結に用いられる連結補助部材５とを備える。第１連結部材としてのステー６はベース４の前端部を支持する。連結補助部材５と共に第２連結部材を構成するベース４はエアコン室外機を載置するためのものである。
【００２５】
ベース４は、図２及び図３に示すように、後座板１から前方に伸びるように配置されている。また、ベース４は、図６に示すように、水平に配置された平面状かつ帯状の上壁４１と、この上壁４１の左右に垂設された側壁４２と、上壁に対向する下面位置に形成されている下壁４３とを備えている。また、上壁４１には防振材４４を取り付けるためのスリット４５が形成されているとともに、上壁４１と下壁４３との間には、図６に示すように、スリット４５を挟むように２個のリブ４６が長手方向に延びるように形成されている。さらに、ベース４の両側壁４２には、前記連結補助部材５を取り付けるねじを挿入するための孔４７がそれぞれ２個形成されている。また、ベース４の後端部の下壁４３には、図４に示すように、後座板１に取り付けるためのボルト孔４８が形成されている。さらに、ベース４の後端部の上壁４１には、ボルト締結による取付を容易にするための切欠４９が設けられている（図２参照）。以上の構成を備えたベース４は、アルミニウム又はアルミ系合金製の押出型材から形成されている。
【００２６】
連結補助部材５は、図１〜図３に示すように、ベース４の前端部とステー６とを連結固定するための部材であり、ステー６が連結補助部材５に固定されることにより、ベース４の前端部が支持される。なお、図１はステー６の取付部を示した斜視図である。この連結補助部材５は、ベース４の前端部に取り付けられた状態において、ベース４の前端部の前方にステー６を上下方向に貫通させてスライド式に貫通位置を可変にする貫通穴部５１を形成するとともに、適宜の貫通位置でステー６と連結補助部材５とを固定するものである。このために、連結補助部材５は、図６に示すように、貫通穴部５１を形成するように壁が環状に配置された環状壁部５２と、この環状壁部５２から突出してベース４の内部に挿入される一対の取付片５３とから構成されている。なお、図６はベース前端部における連結補助部材５とステー６の分解斜視図である。
【００２７】
そして、貫通穴部５１は、ステー６の平断面形状に対応する形状に形成されており、一対の取付片５３には、ベース４の両側壁４２に形成されたねじ用の孔４７に対応する位置にタッピングねじ孔５４が形成されている。さらに、環状壁部５２の前壁５２ａには、ステー６との固定を行うためのボルト孔５５が形成されている。
【００２８】
また、連結補助部材５は、環状壁部５２と一対の取付片５３との間に段部５６が形成されており、環状壁部５２がベース４の内寸幅より幅広く形成されている。一対の取付片５３を挿入したときにこの段部５６がベース４の前端に当接する位置で取付片５３のタッピングねじ孔５４とベース４の左右の側壁４２に形成されたねじを挿入するための孔４７とが対応するように形成されている。また、連結補助部材５の高さ寸法は、ベース４の高さ寸法と略同一に、より詳しくは筒状のベース４の内寸高さと略同一に形成されている。このように形成するのは、ベース４が前座板２に当接する状態をベース４の前端部の最下限位置とするためである。また、連結補助部材５は、高さ方向に押し出されたアルミニウム又はアルミ系合金製の押出型材を使用したものであって、所定高さに切断したものである。
【００２９】
ステー６は、図１に示すように、ベース４の前端部と前座板２との間に架け渡されており、下端部は前座板２に固定されている。ステー６は、図５及び図７に示すように、前壁６１、左右の側壁６２及び後壁６３を備えた略筒状のアルミニウム又はアルミ系合金製の押出型材から成る。なお、図５はステー６の下端部を前座板２に取り付けている部分の断面図であり、図７は連結補助部材５を介してステー６とベース４とを連結固定した状態における連結部の平断面図である。
【００３０】
また、前壁６１には長手方向の略全長に亘りスリット状の開口部６４が形成されている。さらに、前壁６１の内面側には、開口部６４の内奥側に内奥部６６が形成されている。ここで、開口部６４及び内奥部６６は、スライド溝を構成する。
【００３１】
上記開口部６４はボルト６５の軸部６５ｃを挿通させるもので、開口部６４の幅は軸部６５ｃの直径よりも大きい寸法に設定されている。上記内奥部６６は、ステー６と連結補助部材５とを固定するためのボルト６５の頭部６５ａを長手方向にスライド可能に収納するとともに、ボルト６５のねじ部６５ｂを開口部６４から前方に突出させるものであり、幅方向には互いに対向する第１側壁６６ａと第２側壁６６ｂとを有する。そして、上記内奥部６６は、開口部６４に対して幅方向に偏らせて形成されており、図７に示す例では開口部６４の幅方向の中心に対して内奥部６６の幅方向の中心が第２側壁６６ｂ側に偏って形成されている。つまり、内奥部６６は、開口部６４に近い第１側壁６６ａと、開口部６４から遠い第２側壁６６ｂとを有する。
【００３２】
このような内奥部６６に収納されるボルト６５の頭部６５ａは、この実施形態では内奥部６６の端の開口した部分から挿入される。また、頭部６５ａは、図９に示すように軸心６５ｄを挟んで対向する１対の側面６５ａ−２を軸心６５ｄ回りに３対有する六角形状に形成されていて、軸心６５ｄ回りの異なる方向（６０゜間隔で）に、隣合う側面６５ａ−２の間に外方に向けて突出した頂部６５ａ−１を有する。
【００３３】
上記第１側壁６６ａは、上述したようにボルト６５の頭部６５ａを内奥部６６に端から挿入する際に、図９（ａ）に示すように頂部６５ａ−１と衝突する位置に設けられ、一方の第２側壁６６ｂは、その衝突により頭部６５ａが軸心６５ｄ回りに回転することを許容する位置に設けられている。これら位置に関しては後述する。
【００３４】
そして、図７に示すように、上記ねじ部６５ｂに連結補助部材５のボルト孔５５が嵌め込まれ、ナット６７が締結されることにより、連結補助部材５とステー６とが固定されている。ここで、ねじ部６５ｂはボルト６５の軸部６５ｃに形成されており、ボルト６５及びナット６７は連結具７を構成し、頭部６５ａ及びナット６７はそれぞれ挟持部を構成する。
【００３５】
また、ステー６の下端部には、図１〜図３及び図５に示すように、側壁６２を方形状に切り欠いた切欠部６８が形成されている。そして、切欠部６８の前後方向の寸法は、切欠部６８を前座板２の連結壁部２２に載置した状態で、内奥部６６の背面が前座板２の取付壁部の表面に当接する程度とする。また、溝部２４に頭部２５ａが収納されたボルト２５のねじ部２５ｂを開口部６４に挿通し、このねじ部２５ｂにナット２６を締結することにより、ステー６の下端部が前座板２に固定されている。
【００３６】
次に以上のように構成された本実施の形態に係るエアコン室外機の設置台（屋根用設置台）の組み立て方について説明する。
【００３７】
まず、支持部材３を予め一対それぞれ組み立てておく。また、この組立に際しては、まず、連結補助部材５にステー６を固定する。この固定を行う手順を図８に示す。初めに、図８（ａ）に示すように、連結補助部材５の環状壁部５２の前壁５２ａのボルト孔５５にボルト６５を挿入し、ねじ部６５ｂにナット６７を緩く締めておく。次いで、ステー６を連結補助部材５の貫通穴部５１に対し上方又は下方から挿入する。本実施形態においては、この挿入に伴ってボルトの頭部（前記挟持部）６５ａが内奥部６６内に入り込む（図８（ｂ）参照）ように、開口部６４、内奥部６６、ボルトの頭部６５ａの寸法及び位置関係につき規定している。このことに関しては、後述する。
【００３８】
その後、屋根の傾斜角度に合わせて連結補助部材５に対するステー６との固定位置を定め、その位置で図７のように、連結補助部材５とステー６とを固定する。
【００３９】
次に、連結補助部材５をベース４の前端部に取り付ける。この取付は、図１及び図６に示すように、連結補助部材５の一対の取付片５３をベース４の内部に挿入し、段部５６がベース４の前端に当接するのを確認する。連結補助部材５の高さ寸法は、筒状のベース４の内寸高さに略一致するように形成されているので、段部５６がベース４の前端に当接した状態で、ベース４の側壁４２のねじ用の孔４７と取付片５３のタッピングねじ孔５４とが略対応する。ここでタッピングねじ５７により、連結補助部材５をベース４の前端部に取り付ける。これにより、ステー６とベース４の前端部との連結固定が行われ支持部材の仮組み立てが完了する。
【００４０】
次いで、仮組み立てされた支持部材３の後端部、つまりベース４の後端部を後座板１に取り付けるとともに、仮組み立てされた支持部材３の前端部、すなわち、ステー６の下端部を前座板２に取り付ける。
【００４１】
支持部材３の後端部の後座板１への取付は、図３及び図４に示すように、ベース４を取り付けるためのボルト１５のねじ部１５ｂが上方に突出するように、後座板１の溝部１４にボルト１５の頭部１５ａを収納し、所定位置まで摺動させる。次に、ベース４の後端部における下壁４３に形成されたボルト孔４８にボルト（六角ボルト）１５のねじ部１５ｂを挿通させる。次いで、上方からナット１６を締結する。このようにして、一対の支持部材３の後端部を後座板１に仮固定する。
【００４２】
次に、支持部材３の前端部の前座板２への取付は、ステー６の下端部の方形状の切欠部６８における水平方向の端面を連結壁部２２に沿わせるように載置する。この載置に先立ちボルト２５の頭部２５ａを溝部２４内に挿入させておき、載置の際にねじ部２５ｂの先端をステー６の前壁６１に設けられた開口部６４に貫通させる。そして、図３及び図５に示すように、前座板２の長手方向における略所定位置で、ナット２６を締結してステー６の下端部を前座板２に取り付ける。このようにして、一対の支持部材３の前端部を前座板２に仮固定する。
【００４３】
以上のようにして仮組みされた屋根用設置台を屋根Ｒの上に持ち上げ、所定の位置に後座板１及び前座板２が配置されるように屋根用設置台を載置する。次いで、後座板１及び前座板２の屋根に接触する部分に屋根足１９，２９を取り付ける。屋根足１９，２９は、接触壁部１３，２３の第１突出部１７，２７及び第２突出部１８，２８に屋根足１９，２９の端部の係合部を係合させて取り付けられる。次に、図２に示すように、後座板１を針金７１により建築物の壁面に繋留して保持する。針金７１の一端はヒートン釘７２により建築物の壁面に固定され、他端は後座板１に巻き付けて固定される。そして、屋根Ｒの傾斜に対応してベース４が水平に保持されるように、ステー６の高さを最終調整する。また、支持部材３が所定位置に固定されているかを確認し、最終調整する。以上のように組み立てられ、据え付けられた屋根用設置台には、ベース４の上面に防振材４４が固定される。
【００４４】
次に、スライド溝の開口部６４、内奥部６６、ボルトの頭部（挟持部）６５ａ及びボルト６５の軸部６５ｃの各構成及び相互の位置関係を、図９〜図１３に基づいて説明する。
【００４５】
図９は、前述したステー６を連結補助部材５の貫通穴部５１に対し上方又は下方から挿入することに伴い、ボルトの頭部６５ａが内奥部６６内に入り込むこと（図８（ｂ）参照）に関する説明図である。図１０はボルト６５の軸部６５ｃが開口部６４の第１側壁６６ａ側の縁に接触する場合における各部の関係を示す図、図１１はボルト６５の軸部６５ｃが開口部６４の第２側壁６６ｂ側の縁に接触する場合における各部の関係を示す図、図１２はボルトの頭部６５ａが軸心６５ｄ回りに回転して、開口部６４に露出している側面６５ａ−２（厳密には側面６５ａ−２の縁）が開口部６４の幅方向とほぼ平行になっても、頭部６５ａが開口部６４から抜け出ないようにする寸法関係を示す図、図１３は、頭部６５ａの側面６５ａ−２を第１側壁６６ａに接近させ、かつほぼ平行にさせることを可能にする各部の関係を示す図である。
【００４６】
本実施形態にあっては、図９（ａ）に示すようにステー６を連結補助部材５の貫通穴部５１に対し上方又は下方から挿入する際に、ボルト頭部６５ａの頂部６５ａ−１が第１側壁６６ａの端に対面する状態であれば、その頂部６５ａ−１またはその近傍部分が第１側壁６６ａの端に衝突し、その衝突により図９（ｂ）に示すように頭部６５ａが回転する。この回転は、頂部６５ａ−１が第１側壁６６ａに衝突しなくなるまで続く。そして、頂部６５ａ−１が第１側壁６６ａに衝突しなくなると、頭部６５ａが内奥部６６内に挿入される。なお、頭部６５ａの回転は、図９（ｃ）に示すように第１側壁６６ａに向いた側面６５ａ−２を第１側壁６６ａと接近させ、かつほぼ平行にさせるように行うことが好ましい。その理由は、もう一方の挟持部であるナット６７を締結した状態で、頭部６５ａと内奥部６６との接触面積を増大化させて締結強度を向上させ得るからである。なお、ナット６７はボルト頭部６５ａとほぼ同一構成（同一寸法、同一形状）となっていて、六角形状に形成された側面６７ａと、頂部６７ｂとを有する（図７参照）。
【００４７】
また、ボルト頭部６５ａの頂部６５ａ−１が第１側壁６６ａの端に対面する状態のときに、第１側壁６６ａに対して頂部６５ａ−１またはその近傍部分を確実に衝突させて頭部６５ａを回転させる条件として、図１０に示すようにボルト６５の軸部６５ｃが開口部６４の第１側壁６６ａ側の縁に接触する場合において、第１側壁６６ａから開口部６４までの距離Ｌ１が、軸心６５ｄを挟んで互いに反対側に位置する２つの頂部６５ａ−１の間における頂部間寸法Ｗ１から軸部６５ｃの直径Ｄを引いた寸法の半分の値Ｌ２（＝（Ｗ１−Ｄ）／２）よりも短く、かつ、図１１に示すようにボルト６５の軸部６５ｃが開口部６４の第２側壁６６ｂ側の縁に接触する場合において、第１側壁６６ａから開口部６４までの距離Ｌ１に開口部６４の幅寸法Ｗ２を加えた距離Ｌ３が、前記半分の値Ｌ２に軸部６５ｃの直径Ｄを加えた長さ寸法Ｌ４よりも短く、しかも、図１０及び図１１に示すように開口部６４に遠い方の第２側壁６６ｂから開口部６４までの距離Ｌ５が、前記半分の値Ｌ２と同一または半分の値Ｌ２よりも長くなる条件（以下第１の条件と呼ぶ）とする。
【００４８】
この第１の条件は、下記（１）〜（３）式により表される。
【００４９】
Ｌ１＜Ｌ２（＝（Ｗ１−Ｄ）／２）・・・（１）
Ｌ３（＝Ｌ１＋Ｗ２）＜Ｌ４（＝Ｌ２＋Ｄ）・・・（２）
Ｌ５≧Ｌ２・・・（３）
次に、ボルトの頭部６５ａが軸回りに回転して第２の幅部６５ａ−２が開口部６４の幅方向とほぼ平行になっても、頭部６５ａが開口部６４から抜け出ないようにする条件は、図１２に示すように開口部６４の幅寸法Ｗ２が、軸心６５ｄを挟んで対向する１対の側面６５ａ−２の間における側面間寸法Ｗ３に軸部６５ｃの直径Ｄを加えた寸法の半分の値（（Ｗ３＋Ｄ）／２）よりも短くなる条件（以下第２の条件と呼ぶ）とする。
【００５０】
上記第２の条件は、下記（４）で表される。
【００５１】
Ｗ２＜（Ｗ３＋Ｄ）／２・・・（４）
なお、前記半分（（Ｗ３＋Ｄ）／２）は、下記（５）式で示すように、Ｗ３からＤを引いた値の半分の値Ｌ６にＤを加えた値（Ｌ６＋Ｄ）と等価である。
【００５２】
（Ｗ３＋Ｄ）／２＝Ｌ６＋Ｄ・・・（５）
更に、図９（ｃ）に示すように第２の幅部６５ａ−２の側面（第１側壁６６ａ側の側面）を第１側壁６６ａと接近させ、かつほぼ平行にさせる条件としては、図１３に示すように、第１側壁６６ａから開口部６４までの距離Ｌ１に開口部６４の幅寸法Ｗ２を加えた距離Ｌ３が、頂部間寸法Ｗ１に軸部６５ｃの直径Ｄを加えた寸法の半分の値（（Ｗ１＋Ｄ）／２）よりも短く、側面間寸法Ｗ３に軸部６５ｃの直径Ｄを加えた寸法の半分の値（（Ｗ３＋Ｄ）／２）以上であることを条件（以下第３の条件と呼ぶ）とする。
【００５３】
第３の条件は、下記（６）式で表される。
【００５４】
（Ｗ３＋Ｄ）／２≦Ｌ３（＝Ｌ１＋Ｗ２）＜（Ｗ１＋Ｄ）／２・・・（６）
なお、第３の条件における前者（（６）式の右辺）の半分の値（（Ｗ１＋Ｄ）／２）は、下記（７）式で示すようにＷ１からＤを引いた寸法（Ｗ１−Ｄ）の半分の値Ｌ２にＤを加えた値（Ｌ２＋Ｄ）と等価であり、また第３の条件における後者（（６）式の左辺）の半分の値（（Ｗ３＋Ｄ）／２）は、下記（８）式で示すようにＷ３からＤを引いた寸法（Ｗ３−Ｄ）の半分Ｌ６にＤを加えた値（Ｌ６＋Ｄ）と等価である。
【００５５】
（Ｗ１＋Ｄ）／２＝Ｌ２＋Ｄ・・・（７）
（Ｗ３＋Ｄ）／２＝Ｌ６＋Ｄ・・・（８）
以上のように構成されたエアコン室外機の屋根用設置台によれば、次の効果を奏することができる。
【００５６】
（１）上記第１の条件を満たすことにより、ボルト頭部６５ａを内奥部６６に挿入するとき、ボルト頭部６５ａの頂部６５ａ−１またはその近傍部分が第１側壁６６ａの端に対面する状態であれば、その頂部６５ａ−１またはその近傍部分が第１側壁６６ａの端に衝突し、頭部６５ａがその衝突に基づいて回転する。この回転は頂部６５ａ−１が第１側壁６６ａに衝突しなくなるまで続く。そして、頂部６５ａ−１が第１側壁６６ａに衝突しなくなると、頭部６５ａが内奥部６６に挿入される。よって、ボルト頭部６５ａの側面６５ａ−２を第１側壁６６ａや第２側壁６６ｂに向くように回転させて内奥部６６に対し揃える操作を行う必要がなく、頭部６５ａを内奥部６６に作業性よく容易に入れることができる。
【００５７】
また、頭部６５ａにおける軸心６５ｄ回りの回転は、前記（２）式のようにＬ３（＝Ｌ１＋Ｗ２）＜Ｌ４（＝Ｌ２＋Ｄ）の関係に基づき、開口部６４に近い第１側壁６６ａに、回転方向下流側の次の頂部６５ａ−１が接触することにより止まり、ナット６７を締結する際に両方の挟持部（頭部６５ａとナット６７）が共回りすることが防止される。
【００５８】
（２）上記第２の条件を満たすことにより、ボルト頭部６５ａが軸心６５ｄ回りに回転して開口部６４に露出している側面６５ａ−２が開口部６４の幅方向とほぼ平行になっても、頭部６５ａが開口部６４から抜け出ないようにすることができる。
【００５９】
（３）上記第３の条件を満たすことにより、ボルト頭部６５ａの側面６５ａ−２を第１側壁６６ａに接近させ、かつほぼ平行にさせることが可能となり、これにより頭部６５ａと内奥部６６との接触面積を増大化させて締結強度を向上させ得る。
【００６０】
以上説明した本実施の形態に係るエアコン室外機の設置台は、一例を示すものであり、本発明の範囲内において適宜変更できるものである。例えば、次のように変形することができる。
【００６１】
（１）上記実施の形態において、連結補助部材５を用いてステー６とベース４を連結するように構成しているが、本発明はこれに限らず、連結補助部材５を省略した状態でステー６とベース４を連結するようにしてもよい。
【００６２】
（２）上記実施の形態において、ステー６とベース４を連結する箇所に適用しているが、本発明はこれに限らず、後座板１とベース４の後端部との連結箇所や、前座板２とステー６の下端部との連結箇所に同様に適用することができる。例えば、後座板１とベース４の後端部との連結箇所に適用する場合には、ボルト１５の頭部１５ａおよびナット１６を挟持部として用い、後座板１に設けられた溝部１４をスライド溝の内奥部として、同じくスリット１４ａを開口部としてそれぞれ用いる（図４参照）。また、前座板２とステー６の下端部との連結箇所に適用する場合には、ボルト２５の頭部２５ａおよびナット２６を挟持部として用い、前座板２に設けられた溝部２４をスライド溝の内奥部として、同じくスリット２４ａを開口部としてそれぞれ用いる（図５参照）。
【００６３】
（３）上記実施の形態において、スライド溝の内奥部に六角ボルトの頭部を入れる構成としているが、本発明はこれに限らず、六角ナットを入れる構成としてもよい。また、ボルトおよびナットは六角形に限らない。例えば、四角形や八角形などのように、軸心を挟んで対向する１対の側面を軸心回りに複数対有する（換言すれば偶数個の側面を有する）形状のものなどでもよい。更に、側面間寸法Ｗ３はすべて同一である必要はなく、軸心回りの異なる方向で一部または全部が相違する挟持部を用いることも可能である。
【００６４】
（４）上記実施の形態において、第１連結部材としてのスラー６に設けられたスライド溝の内奥部６６にボルト頭部６５ａを内奥部６６の端から挿入する例を挙げているが、本発明はこれに限らない。例えば、スライド溝の溝長手方向の途中に、スライド溝と直交する方向からボルト頭部を入れる開口が設けられた第１連結部材を用いる場合には、その開口から挿入した頭部を、その挿入方向とは直交する、スライド溝の溝長手方向にスライドさせることで適用可能である。
【００６５】
（５）上記実施の形態において、連結具としてボルトとナットを用いているが、本発明はこれに限らず、軸部の両端部に一対のナットが螺着されるものを使用することも含まれる。
【００６６】
（６）上記実施の形態において、エアコン室外機を屋根上に設置する場合に用いられる屋根用設置台に適用しているが、本発明はこれに限らず、建物の外壁にエアコン室外機を設置する場合の壁掛用設置台や、天井から吊すタイプの設置台にも用いられる。壁掛用設置台の場合には、ステー側が外壁に取付けられ、このステーに対してベースが上下方向に移動可能（つまり高さ調整可能）に取付けられる構成となる。一方、天井から吊すタイプの場合には、ステーを天井から吊り下げ、その垂下したステーにほぼ水平に向いたベースを移動可能（つまり高さ調整可能）に取付けられる構成となる。
【符号の説明】
【００６７】
４    ベース（第２連結部材）
５    連結補助部材（第２連結部材）
６    ステー（第１連結部材）
６４    開口部
６５    ボルト（連結具）
６５ａ    頭部（挟持部）
６５ａ−１    頂部
６５ａ−２    側面
６５ｃ    軸部
６５ｄ    軸心
６６    内奥部
６６ａ    第１側壁
６６ｂ    第２側壁
６７    ナット（連結具；挟持部）
【図１】
2010196989.tif 000003
【図２】
2010196989.tif 000004
【図３】
2010196989.tif 000005
【図４】
2010196989.tif 000006
【図５】
2010196989.tif 000007
【図６】
2010196989.tif 000008
【図７】
2010196989.tif 000009
【図８】
2010196989.tif 000010
【図９】
2010196989.tif 000011
【図１０】
2010196989.tif 000012
【図１１】
2010196989.tif 000013
【図１２】
2010196989.tif 000014
【図１３】
2010196989.tif 000015
【図１４】
2010196989.tif 000016
【図１５】
2010196989.tif 000017